(57)【特許請求の範囲】
【請求項１】
取付面に対して隣接配置する遮蔽装置を前後左右にずらして固定するための取付具であって、
一方の遮蔽装置向けのブラケット用取付ネジを取り付けるための第１のネジ取付部と、他方の遮蔽装置向けのブラケット用取付ネジを取り付けるための第２のネジ取付部と、前記第１のネジ取付部と前記第２のネジ取付部との間に、取付面に対して当該取付具を固定するための固定ネジを挿通可能な複数の挿通孔と、を有する略板状部材で構成され、
前記複数の挿通孔、前記第１のネジ取付部、及び前記第２のネジ取付部は、前記複数の挿通孔を結ぶ仮想線分と、前記第１のネジ取付部と前記第２のネジ取付部とを結ぶ仮想線分とが為す角度が０°でなく９０°でもない角度で、平面上に配置されていることを特徴とする取付具。
【請求項２】
前記第１及び第２のネジ取付部は、それぞれのブラケット用取付ネジを螺合可能とする螺合孔で形成されていることを特徴とする、請求項１に記載の取付具。
【請求項３】
前記挿通孔を有する固定部位が前記第１のネジ取付部又は前記第２のネジ取付部を有する取付部位よりも厚みを有し、前記第１及び第２のネジ取付部は、それぞれのブラケット用取付ネジを前記取付部位に設置可能な固定板のネジ孔と螺合可能とするよう、貫通孔で形成されていることを特徴とする、請求項１に記載の取付具。
【請求項４】
当該取付具の少なくとも左右両縁部にて、高さ調整用スペーサーを配置可能に一方向へ突出するリブが設けられていることを特徴とする、請求項１又は２に記載の取付具。
【請求項５】
前記第１及び第２のネジ取付部間の前後方向の距離は、当該隣接配置する遮蔽装置の各々が有する巻取軸による遮蔽材の最大巻径で少なくとも一方の遮蔽材の最下端に設けられた錘部材が各巻取軸間を通過可能な距離が確保されていることを特徴とする、請求項１から４のいずれか一項に記載の取付具。
【請求項６】
前記第１及び第２のネジ取付部は、当該取付具の上面が取付対象の各ブラケットの上面と連なるよう、それぞれ各ブラケットの側部から各ブラケットを取り付け可能に構成されていることを特徴とする、請求項１に記載の取付具。
【請求項７】
前記第１のネジ取付部の位置に適合させて当該一方の遮蔽装置向けのブラケットが固定され、前記第２のネジ取付部の位置に適合させて当該他方の遮蔽装置向けのブラケットが固定されていることを特徴とする、請求項１に記載の取付具。
【請求項８】
当該取付具は、取付対象の各ブラケットを取り付けた後、取り外し可能に構成されていることを特徴とする、請求項１に記載の取付具。
【請求項９】
当該取付具は、取付対象の一方のブラケットを係止した状態で、該一方のブラケットを取り付け可能に構成されるとともに、取付対象の他方のブラケットを係止、又は位置決めした状態で、該他方のブラケットを取り付け可能に構成されていることを特徴とする、請求項８に記載の取付具。
【発明の詳細な説明】
【技術分野】
【０００１】
本発明は、取付面に対して１つ又は複数の遮蔽装置における複数のブラケットを固定可能とする取付具に関する。
【背景技術】
【０００２】
例えば複数のロールスクリーンを連窓に設置する際、ロールスクリーンの隣り合う間からの光漏れを防止するため、各ロールスクリーンのスクリーン端部同士が重なるよう各ロールスクリーンを前後左右にずらした状態で設置したいとする要望がある。
【０００３】
このような場合は、各ローススクリーンのブラケットを個別に取付面に取り付ける必要があり、各ロールスクリーン同士の間隔を位置決めするのが容易ではない。
【０００４】
このため、各ローススクリーンのブラケットに対する取り付けを補助する取付具が必要となる。
【０００５】
従来、遮蔽装置のヘッドボックスを窓枠等に固定するための取付用金具がある（例えば、特許文献１参照）。特許文献１に開示される取付用金具は、１つの遮蔽装置を取付面に合わせて位置調整可能に構成されているが、隣接配置する遮蔽装置の位置決めして取り付ける用途に用いるには、その位置調整が容易ではなく不向きである。
【０００６】
そこで、隣接配置する遮蔽装置を容易に取着し得る取付補助具が開示されている（例えば、特許文献２参照）。特許文献２に開示される取付補助具は、直角に屈曲した板状部材で、窓枠の下面に当接する水平板部と、窓枠の正面に当接する垂直板部とを構成し、当該水平板部に第１の取付孔を設けるとともに、第１のブラケットを取着するためのネジ孔を設け、当該垂直板部に、第２のブラケットを取着するためのネジ孔を設けた構成としている。
【先行技術文献】
【特許文献】
【０００７】
【特許文献１】実開昭６２−１７６３９９号公報
【特許文献２】特許第３８０８７６８号明細書
【発明の概要】
【発明が解決しようとする課題】
【０００８】
前述したように、各ロールスクリーンのスクリーン端部同士が重なるよう各ロールスクリーンを前後左右にずらした状態で設置したいとする要望がある。このため、各ローススクリーンのブラケットに対する取り付けを補助する取付具が必要となるが、既存の取付具では各ロールスクリーン同士の間隔を位置決めするのが容易ではない。
【０００９】
例えば、特許文献１に開示される取付用金具では、各ロールスクリーン同士の調整が困難なままである。
【００１０】
一方、特許文献２に開示される取付補助具は、隣接配置する遮蔽装置を容易に取着し得ることができる。しかしながら、この取付補助具では、遮蔽装置のブラケットを前後にずらして取り付け可能であるものの、左右にずらして固定することができない。
【００１１】
特に、各ロールスクリーンの取付フレームの端部にブラケットの取付不可領域がある際に（例えば巻取軸用の支持部材がある箇所など）、既存の取付具を用いて各ロールスクリーンのスクリーン端部同士が重なるよう前後左右にずらした状態で設置しようとすると、各ロールスクリーンのずらし量を大きく取らなければならず、結果としてスクリーン端部同士が重なる領域も大きくなってしまい、設置効率が悪化し実用性の観点で問題が生じる。
【００１２】
したがって、隣接配置する遮蔽装置における各遮蔽材の端部同士が重なるよう各遮蔽装置を前後左右にずらして設置する際に、高設置効率で高精度の位置決めを実現し、且つ隣接配置する遮蔽装置を容易に取着し得る取付具が望まれる。
【００１３】
また、用途によっては、当該相対位置関係として、遮蔽装置の幅方向や前後方向に平行である場合も、各ブラケット６の個別の位置決めを不要とするスペーサーが求められる。
【００１４】
本発明の目的は、上述の問題を鑑みて、取付面に対して１つ又は複数の遮蔽装置における複数のブラケットを固定可能とする取付具を提供することにある。
【課題を解決するための手段】
【００１５】
本発明による第１態様の取付具は、取付面に対して隣接配置する遮蔽装置を前後左右にずらして固定するための取付具であって、一方の遮蔽装置向けのブラケット用取付ネジを取り付けるための第１のネジ取付部と、他方の遮蔽装置向けのブラケット用取付ネジを取り付けるための第２のネジ取付部と、前記第１のネジ取付部と前記第２のネジ取付部との間に、取付面に対して当該取付具を固定するための固定ネジを挿通可能な複数の挿通孔と、を有する略板状部材で構成され、前記複数の挿通孔、前記第１のネジ取付部、及び前記第２のネジ取付部は、前記複数の挿通孔を結ぶ仮想線分と、前記第１のネジ取付部と前記第２のネジ取付部とを結ぶ仮想線分とが為す角度が０°でなく９０°でもない角度で、平面上に配置されていることを特徴とする。
【００１６】
また、本発明による第１態様の取付具において、前記第１及び第２のネジ取付部は、それぞれのブラケット用取付ネジを螺合可能とする螺合孔で形成されていることを特徴とする。
【００１７】
また、本発明による第１態様の取付具において、前記挿通孔を有する固定部位が前記第１のネジ取付部又は前記第２のネジ取付部を有する取付部位よりも厚みを有し、前記第１及び第２のネジ取付部は、それぞれのブラケット用取付ネジを前記取付部位に設置可能な固定板のネジ孔と螺合可能とするよう、貫通孔で形成されていることを特徴とする。
【００１８】
また、本発明による第１態様の取付具において、当該取付具の少なくとも左右両縁部にて、高さ調整用スペーサーを配置可能に一方向へ突出するリブが設けられていることを特徴とする。
【００１９】
また、本発明による第１態様の取付具において、前記第１及び第２のネジ取付部間の前後方向の距離は、当該隣接配置する遮蔽装置の各々が有する巻取軸による遮蔽材の最大巻径で少なくとも一方の遮蔽材の最下端に設けられた錘部材が各巻取軸間を通過可能な距離が確保されていることを特徴とする。
【００２０】
また、本発明による第１態様の取付具において、前記第１及び第２のネジ取付部は、当該取付具の上面が取付対象の各ブラケットの上面と連なるよう、それぞれ各ブラケットの側部から各ブラケットを取り付け可能に構成されていることを特徴とする。
【００２１】
また、本発明による第１態様の取付具において、前記第１のネジ取付部の位置に適合させて当該一方の遮蔽装置向けのブラケットが固定され、前記第２のネジ取付部の位置に適合させて当該他方の遮蔽装置向けのブラケットが固定されていることを特徴とする。
【００２２】
また、本発明による第１態様の取付具において、当該取付具は、取付対象の各ブラケットを取り付けた後、取り外し可能に構成されていることを特徴とする。
【００２３】
また、本発明による第１態様の取付具において、当該取付具は、取付対象の一方のブラケットを係止した状態で、該一方のブラケットを取り付け可能に構成されるとともに、取付対象の他方のブラケットを係止、又は位置決めした状態で、該他方のブラケットを取り付け可能に構成されていることを特徴とする。
【発明の効果】
【００２８】
本発明による第１態様の取付具によれば、隣接配置する遮蔽装置における各遮蔽材の端部同士が重なるよう各遮蔽装置を前後左右にずらして設置する際に容易に施工することができ、特に、高設置効率で高精度の位置決めを容易に実現可能となる。
【００２９】
また、本発明による第２態様の取付具によれば、複数のブラケットを取付面に固定する際の位置決めを容易とし、その施工性を向上させることができる。
【図面の簡単な説明】
【００３０】
【図１】本発明による第１実施形態の取付具を用いて設置した遮蔽装置の斜視図である。
【図２】本発明による第１実施形態の取付具に関する説明図である。
【図３】（ａ）, （ｂ）,（ｃ）,（ｄ）は、それぞれ本発明による第１実施形態の取付具の外形例を示す斜視図である。
【図４】本発明による第２実施形態の取付具を示す斜視図である。
【図５】（ａ）,（ｂ）は、それぞれ本発明による第３実施形態の取付具を示す下方及び上方から見た斜視図である。
【図６】（ａ）,（ｂ）は、それぞれ本発明による第１実施形態の取付具を用いて設置した遮蔽装置の部分的な側面断面図である。
【図７】（ａ）,（ｂ）は、それぞれ本発明による第４実施形態の取付具に関する平面図と正面図である。
【図８】（ａ）,（ｂ）は、それぞれ本発明による第４実施形態の取付具に係るブラケットとの構成例を示す斜視図と、本発明による第１実施形態の取付具を用いて設置した遮蔽装置の部分的な側面断面図である。
【図９】（ａ）,（ｂ）は、それぞれ本発明による第５実施形態の取付具に関する平面図と、本発明による第５実施形態の取付具を用いて設置した遮蔽装置の部分的な側面断面図である。
【図１０】（ａ）,（ｂ），（ｃ）は、それぞれ本発明による第６実施形態の取付具に関する構成を示す平面図と、その施工方法を説明する正面図である。
【図１１】（ａ），（ｂ），（ｃ）は、それぞれ本発明による第７実施形態の取付具に関する構成を示す平面図と、その施工方法を説明する平面図である。
【図１２】（ａ），（ｂ），（ｃ）は、それぞれ本発明による他の実施形態の取付具に関する構成例を示す平面図である。
【図１３】（ａ），（ｂ）は、それぞれ本発明による他の実施形態の取付具に関する構成例を示す平面図である。
【発明を実施するための形態】
【００３１】
以下、図面を参照して、本発明による各実施形態の取付具を説明する。尚、本願明細書中、例えば図１に示す遮蔽装置（ロールスクリーン１Ｒ，１Ｌ）の斜視図に対して、図示上方及び図示下方を遮蔽材（スクリーン）４の吊り下げ方向に準じてそれぞれ上方向（又は上側）及び下方向（又は下側）と定義し、図示左方向を遮蔽装置の左側、及び、図示右方向を遮蔽装置の右側と定義して説明する。図１を視認する側を室内側（前面側）とし、その逆側を室外側（背面側）として定義する。
【００３２】
〔第１実施形態〕
まず、図１乃至図３を参照して、本発明による第１実施形態の取付具を説明する。図１は、本発明による第１実施形態の取付具を用いて設置した遮蔽装置の斜視図である。図２は、本発明による第１実施形態の取付具に関する説明図である。図３（ａ）, （ｂ）,（ｃ）,（ｄ）は、それぞれ本発明による第１実施形態の取付具の外形例を示す斜視図である。
【００３３】
本実施形態の取付具７は、隣接配置する遮蔽装置（本例では、ロールスクリーン１Ｒ，１Ｌ）の高さを合わせ、且つロールスクリーン１Ｒ，１Ｌを前後方向及び左右方向にずらして配置して上方の取付面（図示せず）に固定可能とする取付用の補助具として構成される。
【００３４】
図示する各ロールスクリーン１Ｒ，１Ｌは、それぞれ同一構造を有し、それぞれ取付フレーム２の両端に巻取軸支持部材２ａ，２ｂが固定され、その支持部材２ａ，２ｂから延びる固定軸（図示せず）によって、巻取軸支持部材２ａ，２ｂ間に円筒状の巻取軸３が回転可能に支持される。そして、巻取軸３をスクリーン巻取り方向へ回転させるとウェイトバー５が上昇し、巻取軸９をスクリーン巻戻し方向へ回転させるとウェイトバー５が下降するようになっている。
【００３５】
巻取軸３の回転操作は、巻取軸支持部材２ａ（又は２ｂ）近傍に巻取軸３と一体に回転する操作プーリーを設けて、この操作プーリーに掛回される無端状の操作コードを垂下させ、この操作コードの操作により巻取軸３を回転操作可能となるよう構成することができる（図示せず）。尚、操作コードによる巻取軸３の回転操作とする代わりに、巻取軸支持部材２ａ（又は２ｂ）近傍に電動モーターを設け、所定の操作スイッチによる操作で電動により巻取軸３の回転操作を行なうよう構成することもできる。
【００３６】
各ロールスクリーン１Ｒ，１Ｌは、ブラケット６を介して当該取付面に対し固定するよう構成されている。したがって、本実施形態の取付具７は、２つのロールスクリーン１Ｒ，１Ｌを前後方向及び左右方向にずらして高設置効率で高精度の位置決めを行って隣接配置するために、２つのロールスクリーン１Ｒ，１Ｌ間で近接する互いのブラケット６を高精度に位置決め可能とするよう構成されている。
【００３７】
即ち、図２に示すように、各ロールスクリーン１Ｒ，１Ｌの取付フレーム２の端部にブラケット６の取付不可領域Ｓがある際に（例えば巻取軸３用の支持部材２ａ，２ｂがある箇所など）、各ロールスクリーン１Ｒ，１Ｌの端部から所定量ずらしてブラケット６が設けられている。このとき、既存の取付具を用いて各ロールスクリーンのスクリーン端部同士が重なるよう前後左右にずらした状態で設置しようとすると、各ロールスクリーンのずらし量を大きく取らなければならず、結果としてスクリーン端部同士が重なる領域も大きくなってしまい、設置効率が悪化してしまう。
【００３８】
そこで、本実施形態の取付具７は、高設置効率で高精度の位置決めを実現するために、取付不可領域Ｓを避けてオフセット（図示ｄ）した位置関係で、各ロールスクリーン１Ｒ，１Ｌのブラケット６を取り付け可能とする構造を有している。
【００３９】
より具体的には、本実施形態の取付具７は、略板状部材で構成され、隣接する遮蔽装置（本例では、ロールスクリーン１Ｒ，１Ｌ）のうち一方の遮蔽装置（ロールスクリーン１Ｌ）向けのブラケット６を取着するための取付ネジを取り付け可能とする第１のネジ取付部７ａと、他方の遮蔽装置（ロールスクリーン１Ｒ）向けのブラケット６を取着するための取付ネジを取り付け可能とする第２のネジ取付部７ｂと、第１のネジ取付部７ａと第２のネジ取付部７ｂとの間に、取付面に対して当該取付具７を固定するための固定ネジ８を挿通可能な挿通孔７ｃとを有するように構成される。
【００４０】
そして、この取付具７では、第１のネジ取付部７ａと第２のネジ取付部７ｂとの間の位置関係が、隣接配置する遮蔽装置（本例では、ロールスクリーン１Ｒ，１Ｌ）の前後方向及び左右方向で非平行となるよう配置されている。換言すれば、図３に示すように、ロールスクリーン１Ｒ，１Ｌの左右方向と、第１のネジ取付部７ａと第２のネジ取付部７ｂとを結ぶ仮想線分とが為す角度θは、０＜θ＜９０°となっている。尚、取付具の外形は、図３に例示するように、特段に限定的な形状とする必要はなく様々な形状とすることができる。
【００４１】
挿通孔７ｃの数は、図示するような３つでなくともよいが、好適には複数設けるようにする。また、図示する例にて、本発明の理解を高めるために、複数の挿通孔７ｃは、設置するロールスクリーン１Ｒ，１Ｌの左右方向と略平行とする例を図示しているが、必ずしも略平行とする必要はない。
【００４２】
本実施形態では、第１及び第２のネジ取付部７ａ，７ｂは、それぞれのブラケット６用取付ネジを螺合可能とする螺合孔で形成されている。ただし、第１及び第２のネジ取付部７ａ，７ｂは、図示する例にて螺旋状に形成する１つの非貫通孔として例示しているが、複数でもよい。取付具７と各ブラケット６の取り付けは、貫通孔を設けボルトナットで締結固定してもよく、溶接固定しても良い。或いは、取付ネジでの螺合またはボルトナットでの締結の場合、取付具７とブラケット６とは製品出荷時に予め固定されアッセンブリーされていても良いし、施工時に固定するようにすることもできる。尚、第１及び第２のネジ取付部７ａ，７ｂについて、それぞれ複数とした場合も、いずれにおいても第１のネジ取付部７ａと第２のネジ取付部７ｂとの間の位置関係は、隣接配置する遮蔽装置（本例では、ロールスクリーン１Ｒ，１Ｌ）の前後方向及び左右方向で非平行となるように配置される。
【００４３】
尚、図１に示すように、他のブラケット６には本実施形態の取付具７と同じ厚みのスペーサー９を設け高さを合わせるようにすることが好ましい。ただし、取付面の面積が狭くスペーサー９を利用できないときは、このスペーサー９の代わりに、本実施形態の取付具７を用いてもよいし、取付面に固定用の挿通孔７ｃと当該ブラケット６用のネジ取付部７ａ（又は７ｂ）とを有する任意形状の取付具を用いるようにしてもよい。
【００４４】
このように、本実施形態の取付具７は、前後方向及び左右方向にずらして隣接配置された２つのロールスクリーン１Ｒ，１Ｌを取付面に対して、高設置効率で高精度の位置決めを実現し、且つ２つのロールスクリーン１Ｒ，１Ｌを容易に取着することができる。
【００４５】
〔第２実施形態〕
次に、図４を参照して、本発明による第２実施形態の取付具７を説明する。図４は、本発明による第２実施形態の取付具７を示す斜視図である。尚、図４は、第１実施形態と同様な構成要素には同一の参照番号を付している。
【００４６】
本実施形態の取付具７は、強度を高めた態様で、隣接配置する遮蔽装置（本例では、ロールスクリーン１Ｒ，１Ｌ）の高さを合わせ、且つロールスクリーン１Ｒ，１Ｌを前後方向及び左右方向にずらして配置して上方の取付面（図示せず）に固定可能とする取付用の補助具として構成される。
【００４７】
本実施形態の取付具７においても、略板状部材で構成され、隣接する遮蔽装置（本例では、ロールスクリーン１Ｒ，１Ｌ）のうち一方の遮蔽装置（ロールスクリーン１Ｌ）向けのブラケット６を取着するための取付ネジを取り付け可能とする第１のネジ取付部７ａと、他方の遮蔽装置（ロールスクリーン１Ｒ）向けのブラケット６を取着するための取付ネジを取り付け可能とする第２のネジ取付部７ｂと、第１のネジ取付部７ａと第２のネジ取付部７ｂとの間に、取付面に対して当該取付具７を固定するための固定ネジ８を挿通可能な挿通孔７ｃとを有するように構成される。そして、第１のネジ取付部７ａと第２のネジ取付部７ｂとの間の位置関係が、隣接配置する遮蔽装置（本例では、ロールスクリーン１Ｒ，１Ｌ）の前後方向及び左右方向で非平行となるよう配置されている。
【００４８】
ただし、本実施形態の取付具７は、挿通孔７ｃを有する固定部位７ｄが、第１のネジ取付部７ａ（又は第２のネジ取付部７ｂ）を有する取付部位７ｅよりも厚みを有する略板状部材で構成されている。したがって、取付部位７ｅと固定部位７ｄとの間で段差が形成されている。そして、第１及び第２のネジ取付部７ａ，７ｂは、それぞれの取付ネジ１１を取付部位７ｅに設置可能な固定板１０のネジ孔と螺合可能とするよう、貫通孔で形成されている。よって、第１及び第２のネジ取付部７ａ，７ｂの孔径は取付ネジ１１のネジ径よりも大きいサイズで形成することができ（前後方向の長孔が好ましい）、このためブラケット６の位置を微調整して取着するよう構成することもできる。
【００４９】
また、固定板１０は、取付部位７ｅと固定部位７ｄとの間の段差面により、取付ネジ１１の取り付け時の回転が規制され、これにより安定してブラケット６を取付具７に取り付けることができ、挿通孔７ｃを有する部位の厚みによりその強度を高めることができる。
【００５０】
このように、本実施形態の取付具７は、前後方向及び左右方向にずらして隣接配置された２つのロールスクリーン１Ｒ，１Ｌを取付面に対して、高設置効率で高精度の位置決めを実現し、且つ２つのロールスクリーン１Ｒ，１Ｌを容易に取着することができる。
【００５１】
〔第３実施形態〕
次に、図５（ａ）,（ｂ）を参照して、本発明による第３実施形態の取付具７を説明する。図５（ａ）,（ｂ）は、それぞれ本発明による第３実施形態の取付具７を示す下方及び上方から見た斜視図である。尚、図５は、第１実施形態と同様な構成要素には同一の参照番号を付している。
【００５２】
本実施形態の取付具７は、強度を高めた態様で、隣接配置する遮蔽装置（本例では、ロールスクリーン１Ｒ，１Ｌ）の高さを調整可能とし、且つロールスクリーン１Ｒ，１Ｌを前後方向及び左右方向にずらして配置して上方の取付面（図示せず）に固定可能とする取付用の補助具として構成される。
【００５３】
本実施形態の取付具７においても、略板状部材で構成され、隣接する遮蔽装置（本例では、ロールスクリーン１Ｒ，１Ｌ）のうち一方の遮蔽装置（ロールスクリーン１Ｌ）向けのブラケット６を取着するための取付ネジを取り付け可能とする第１のネジ取付部７ａと、他方の遮蔽装置（ロールスクリーン１Ｒ）向けのブラケット６を取着するための取付ネジを取り付け可能とする第２のネジ取付部７ｂと、第１のネジ取付部７ａと第２のネジ取付部７ｂとの間に、取付面に対して当該取付具７を固定するための固定ネジ８を挿通可能な挿通孔７ｃとを有するように構成される。そして、第１のネジ取付部７ａと第２のネジ取付部７ｂとの間の位置関係が、隣接配置する遮蔽装置（本例では、ロールスクリーン１Ｒ，１Ｌ）の前後方向及び左右方向で非平行となるよう配置されている。
【００５４】
ただし、本実施形態の取付具７は、少なくとも左右両縁部にて、下方へ突出するリブ７ｆが設けられ、前後方向への屈曲を抑制するよう強度を高めた態様となっている。また、ブラケット６の取り付け位置における左右両縁部のリブ７ｆ間にて、高さ調整用スペーサー１２を配置可能に構成されている。そして、ブラケット６を取り付けるための取付ネジ１１は、高さ調整用スペーサー１２に設けられた貫通孔（丸孔又は長孔）を貫通し、螺合孔で形成した第１及び第２のネジ取付部７ａ，７ｂと螺合するよう構成されている。
【００５５】
したがって、この高さ調整用スペーサー１２により、前後方向及び左右方向にずらして隣接配置された２つのロールスクリーン１Ｒ，１Ｌを高さ方向に段差を設けて固定することも可能になっている。この高さ調整用スペーサー１２は、図示する矢印で示すように、前後方向で調整可能な長孔を有するよう構成することができる。また、スペーサー１２を用いない形態も可能であり、リブ７ｆ間にブラケット６を配置することにより、ブラケットの長孔の範囲内で７との前後へ相対位置調整が容易となる。
【００５６】
このように、本実施形態の取付具７は、前後方向及び左右方向にずらして隣接配置された２つのロールスクリーン１Ｒ，１Ｌを取付面に対して、高設置効率で高精度の位置決めを実現し、且つ２つのロールスクリーン１Ｒ，１Ｌを容易に取着することができる。
【００５７】
前述した各実施形態においては、第１及び第２のネジ取付部７ａ，ｂ間の前後方向の距離は、各巻取軸３によるスクリーン４の最大巻径で少なくとも一方のウェイトバー５１が通過する程度の距離が確保されたものであればよい。この距離を確保することで、一方のロールスクリーン１Ｌ（又は１Ｒ）が巻き取られた状態で、他方のロールスクリーン１Ｒ（又は１Ｌ）のウェイトバー５が引っ掛かることなく上限まで巻き取ることができる。
【００５８】
例えば、第１実施形態の取付具７を適用した遮蔽装置（ロールスクリーン１Ｒ，１Ｌ）の部分的な側面断面図を図６に示している。図６（ａ）は、ロールスクリーン１Ｒ，１Ｌの各巻取軸３によるスクリーン４の巻き取りを同一向きで巻き取るよう、第１実施形態の取付具７を介してロールスクリーン１Ｒ，１Ｌを取付面に設置した例である。また、図６（ｂ）は、ロールスクリーン１Ｒ，１Ｌの各巻取軸３によるスクリーン４の巻き取りを逆向きで巻き取るよう、第１実施形態の取付具７を介してロールスクリーン１Ｒ，１Ｌを取付面に設置した例である。
【００５９】
図６（ａ），（ｂ）において、第１及び第２のネジ取付部７ａ，ｂ間の前後方向の距離Ａは、各巻取軸３の最大巻径で少なくとも一方のウェイトバー５１が通過する程度の距離Ｂが確保されたものとなっており、これによりロールスクリーン１Ｌが巻き取られた状態で、ロールスクリーン１Ｒのウェイトバー５が引っ掛かることなく上限まで巻き取ることができる。
【００６０】
〔第４実施形態〕
次に、図７及び図８を参照して、本発明による第４実施形態の取付具７を説明する。図７（ａ）,（ｂ）は、それぞれ本発明による第４実施形態の取付具７に関する平面図と正面図である。図８（ａ）,（ｂ）は、それぞれ本発明による第４実施形態の取付具７に係るブラケット６との構成例を示す斜視図と、本発明による第１実施形態の取付具７を用いて設置した遮蔽装置（ロールスクリーン１Ｒ，１Ｌ）の部分的な側面断面図である。
【００６１】
前述した第１乃至第３実施形態では、取付具７の厚みの分だけ、取付面（天井面）とロールスクリーン１Ｒ，１Ｌの取付フレーム２との間に隙間を増加させる。そこで、第４実施形態の取付具７は、天井面と取付フレーム２との間の隙間を増加させることなくロールスクリーン１Ｒ，１Ｌを施工することができる。
【００６２】
より具体的には、ロールスクリーン１Ｒ，１Ｌを前後方向及び左右方向で配置して天井面に固定する際に、図７に示すように、第４実施形態の取付具７は、略長方形の板状部材で構成され、その左右方向の両側の側端部には、それぞれ２つの第１及び第２のネジ取付部７ａ，７ｂが設けられ、その本体中央には、固定ネジ８をそれぞれ貫通可能な複数（本例では４つ）の挿通孔７ｃが設けられている。この第１及び第２のネジ取付部７ａ，７ｂは、各ブラケット６の側部から取り付け可能な取付ネジ１１を螺合可能とする螺合孔で形成されている。
【００６３】
各ブラケット６の側壁部には、取付ネジ１１を挿通し取付具７の第１及び第２のネジ取付部７ａ，７ｂに取り付け可能とする挿通孔が設けられている。例えば、図８（ａ）に示すように、ブラケット６は、第１ブラケット部材６ａと、スライドブロック６ｂとが相対移動可能にアッセンブリーされた構成となっている。スライドブロック６ｂは、第１ブラケット部材６ａに対して不図示のバネなどにより付勢されていることにより第１ブラケット部材６ａの係止部とスライドブロック６ｂとで協働で取付フレーム２を保持可能になっている。第１ブラケット部材６ａは、固定ネジにより直接的に天井面側に固定可能とする挿通孔６２が１以上設けられているが、本実施形態ではこの挿通孔６２を用いず、７Ｃを用いる。尚、第１ブラケット部材６ａの側壁部には、後述する実施形態で利用する切欠６４が形成されている。また、スライドブロック６ｂの側壁部にも、凹部６１が形成されており、取付ネジ１１との干渉を避けるようになっている。凹部６１は第１ブラケット部材６ａに対してスライドする際でも干渉を避ける長さを有する。尚、各ブラケット６と取付具７とを溶接する場合はこのような挿通孔６３や凹部６１は不要である。第１及び第２のネジ取付部７ａ，ｂを用いる場合、各ブラケット６が予め取付具７で固定されていることが施工上好ましい。
【００６４】
本実施形態の施工方法に関して、好ましい形態として各ブラケット６が予め取付具７に固定されていることとして説明する。まず、固定ネジ８を用いて挿通孔７ｃを介し本実施形態の取付具７を天井面に固定する。次に他のブラケットを天井面に固定するが図１に示すようなスペーサー９は不要である。次に、ロールスクリーン１Ｒ（又は１Ｌ）の各取付フレーム２を第１ブラケット部材６ａの係合部に対して引っ掛け、スライドブロック６ｂに対して押し上げることによりスライドブロック６ｂを当該バネの付勢力で自動的に移動させてワンタッチで固定状態とすることができる。これにより、本実施形態の取付具７を用いてロールスクリーン１Ｒ（又は１Ｌ）の当該ブラケット６を天井面に容易に固定することができる。
【００６５】
そして、図８（ｂ）に示すように、本実施形態の取付具７は、その上面がブラケット６の上面と連なるように天井面に固定することができるので、天井面とロールスクリーン１Ｒ、１Ｌの各取付フレーム２との間の隙間は増大しない。このため、このような隙間に起因する光漏れを防止することができる。また、他のブラケットに対応したスペーサー９は不要であるため、経済的で施工性にも優れている。
【００６６】
〔第５実施形態〕
次に、図９を参照して、本発明による第５実施形態の取付具７を説明する。図９（ａ）,（ｂ）は、それぞれ本発明による第５実施形態の取付具７に関する平面図と、本発明による第５実施形態の取付具７を用いて設置した遮蔽装置（ロールスクリーン１Ｒ，１Ｌ）の部分的な側面断面図である。
【００６７】
図９（ａ）に示すように、本実施形態の取付具７は、略長方形の板状部材で構成され、第１及び第２のネジ取付部７ａ，７ｂが設けられているが、その本体中央には、固定ネジ８をそれぞれ貫通可能な挿通孔７ｃが設けられていない形態であり、遮蔽装置の取り付けに関する補助スペーサーとして機能する。即ち、本実施形態では、第１及び第２のネジ取付部７ａ，７ｂは、各ブラケット６の上部から取り付け可能な取付ネジ１１を貫通可能とする貫通孔で形成されている。そして、各ブラケット６は、本実施形態の取付具７に対し接着・溶接・ネジ着・嵌合等により固定される。尚、本実施形態の取付具７は、遮蔽装置の取り付けに関する補助スペーサーとして機能させるものであり、その保持強度を有していない合成樹脂材であってもよい。
【００６８】
各ブラケット６の上部には、取付ネジ１１を貫通可能とする挿通孔が形成されており、この挿通孔は、第１及び第２のネジ取付部７ａ，７ｂとして構成する貫通孔と連通している。したがって、本実施形態の取付具７は、各ブラケット６が接合等で固定され所定位置に位置決めされた１つのアセンブリとして構成される。このため、図９（ｂ）に示すように、取付ネジ１１により、各ブラケット６が接合等で固定された取付具７を、第１及び第２のネジ取付部７ａ，７ｂを経て直接的に天井面に取り付けることができる。
【００６９】
このように、本実施形態では、ブラケット付き取付具として構成するため、位置決め精度が高く、施工性の向上を図ることができる。
【００７０】
〔第６実施形態〕
次に、図１０を参照して、本発明による第６実施形態の取付具７を説明する。図１０（ａ）は、それぞれ本発明による第６実施形態の取付具７に関する構成を示す平面図であり、図１０（ｂ），（ｃ）は、その施工方法を説明する正面図である。本実施形態の取付具７は、第５実施形態の変形例として遮蔽装置の取り付けに関する補助スペーサーとして機能させるものである。
【００７１】
本実施形態の取付具７は、図８（ａ）に示したブラケット６の側壁部（第１ブラケット部材６ａの側壁部）に設けられた凹部６４を本実施形態の取付具７による引掛部として利用して、弾性嵌合によりブラケット６を着脱可能に掴持するよう構成される。
【００７２】
より具体的には、図１０（ａ）に示すように、本実施形態の取付具７は、階段状の板状部材で構成され、前述した実施形態における第１及び第２のネジ取付部７ａ，７ｂの代わりに、各ブラケット６を保持可能とするスナップ部７１ａ，７１ｂを有するよう構成されている。そして、本実施形態の取付具７は、その本体中央に、固定ネジ８をそれぞれ貫通可能な挿通孔７ｃが設けられていない形態であり、遮蔽装置の取り付けに関する補助スペーサーとして機能する。
【００７３】
即ち、本実施形態では、前述した実施形態における第１及び第２のネジ取付部７ａ，７ｂの代わりに設けられるスナップ部７１ａ，７１ｂの各々は、各ブラケット６の側壁部（第１ブラケット部材６ａの側壁部）に設けられた凹部６４を弾性嵌合により掴持可能な二股の鑓形状を有している。各ブラケット６の上部には、取付ネジ１１を貫通可能とする挿通孔６２が形成されている。このため、図１０（ｂ）に示すように、取付ネジ１１により、スナップ部７１ａ，７１ｂにより掴持された各ブラケット６を直接的に、天井面に取り付けることができる。
【００７４】
また、各ブラケット６を天井面に取り付け後、図１０（ｃ）に示すように、スナップ部７１ａ，７１ｂを弾性変形させて、ブラケット６から取り外すこともできる。尚、スナップ部７１ａ，７１ｂは弾性嵌合による係止でなく、施工後にブラケット６から外せる弱い接着や面ファスナー等による保持でもよい。また、ブラケット６に対する保持位置は、ブラケット６と天井面との間に挟まれない位置であればどこでもよい。
【００７５】
このように、本実施形態では、高精度に施工することができ、取付具７を残すことなく意匠性の向上を図ることができる。
【００７６】
〔第７実施形態〕
次に、図１１を参照して、本発明による第７実施形態の取付具７を説明する。図１１（ａ）は、それぞれ本発明による第６実施形態の取付具７に関する構成を示す平面図であり、図１１（ｂ），（ｃ）は、その施工方法を説明する正面図である。本実施形態の取付具７は、第６実施形態の変形例として遮蔽装置の取り付けに関する補助スペーサーとして機能させるものである。
【００７７】
本実施形態の取付具７は、図８（ａ）に示したブラケット６の側壁部（第１ブラケット部材６ａの側壁部）に設けられた凹部６４を本実施形態の取付具７による引掛部として利用して、弾性嵌合によりブラケット６を着脱可能に掴持するよう構成される。
【００７８】
より具体的には、図１１（ａ）に示すように、本実施形態の取付具７は、階段状の板状部材で構成され、前述した実施形態における第１のネジ取付部７ａの代わりに、スナップ部７１ａとして構成され、且つ前述した実施形態における第２のネジ取付部７ｂの代わりに、ブラケット６の単なる位置決め用に設けられた位置決め凹部７１ｃとして構成されている。そして、本実施形態の取付具７は、その本体中央に、固定ネジ８をそれぞれ貫通可能な挿通孔７ｃが設けられていない形態であり、遮蔽装置の取り付けに関する補助スペーサーとして機能する。
【００７９】
即ち、本実施形態では、スナップ部７１ａは、ブラケット６の側壁部（第１ブラケット部材６ａの側壁部）に設けられた凹部６４を弾性嵌合により掴持可能な二股の鑓形状を有している。一方、位置決め凹部７１ｃは、二股状ではあるが鑓形状を有していない。
【００８０】
各ブラケット６の上部には、取付ネジ１１を貫通可能とする挿通孔６２が形成されている。このため、取付ネジ１１により各ブラケット６を直接的に、天井面に取り付けることができる。
【００８１】
本実施形態では、図１１（ｂ）に示すように、まず、一方のブラケット６が本実施形態の取付具７のスナップ部７１ａにより係止された状態で、このブラケット６を天井面に取付ネジ１１で取り付けられる。
【００８２】
続いて、図１１（ｃ）の白抜き矢印で示すように、他方のブラケット６を本実施形態の取付具７の位置決め凹部７１ｃにより当接させた状態で天井面に取付ネジ１１で取り付けられる。
【００８３】
最後に、図１１（ｃ）の黒矢印で示すように、スナップ部７１ａを弾性変形させて本実施形態の取付具７を取り外す。
【００８４】
このように、本実施形態では、取付具７を残すことなく高精度に施工することができ、施工性の向上を図ることができる。
【００８５】
〔他の実施形態〕
次に、図１２及び図１３を参照して、本発明による他の実施形態の取付具７を説明する。図１２及び図１３は、それぞれ本発明による他の実施形態の取付具７に関する構成例を示す平面図である。図１２及び図１３にそれぞれ示す本実施形態の取付具７は、第５及び第６実施形態の変形例として遮蔽装置の取り付けに関する補助スペーサーとして機能させるものである。
【００８６】
図１２及び図１３を参照して説明する本発明による他の実施形態の取付具７は、複数のブラケット６間や遮蔽装置の取付フレーム２（或いは横型ブラインドのヘッドボックス等）の端部と、ブラケット６の取付位置との相対位置関係において、ブラケット６を固定する位置に制約や適性がある場合（例えば、前述したブラケット６の取付不可領域Ｓ）、各ブラケット６の個別の位置決めを不要とするスペーサーとして機能するものである。
【００８７】
つまり、用途によっては、当該相対位置関係として、遮蔽装置の幅方向や前後方向に平行である場合も、各ブラケット６の個別の位置決めを不要とするスペーサーが求められる。
【００８８】
このような相対位置の制約や適性は、複数の遮蔽装置同士の関係（例えば、前後並列設置する遮蔽装置の取付フレームやヘッドボックスの形状、ロールスクリーンの巻取った生地の太さや巻き取る際のウェイトバーが当たらないことを満たす条件、遮蔽装置のスラットやプリーツスクリーンの生地同士が当たらない条件、畳み込んだときのスラットや生地の積層状態を加味して昇降時に当たらない条件等）で決まる場合もあれば、遮蔽装置単体における複数のブラケット６間に制約等で決まるものとする。
【００８９】
図１２は、ロールスクリーン１Ｒ，１Ｌを例に、複数のブラケット６間の位置関係を決めるために用いるスペーサーとして機能する取付具７の構造を示している。より具体的には、図１２（ａ）に示す取付具７は、前述した第６実施形態のように、各ブラケット６を保持可能とするスナップ部７１ａ，７１ｂが構成されているが、各ブラケット６の相対位置関係を前後方向に定めた例である。また、図１２（ｂ）に示す取付具７は、前述した第７実施形態のように、一方のブラケット６を保持可能とするスナップ部７１ａと、他方のブラケット６を位置決めする位置決め凹部７１ｃが構成されているが、各ブラケット６の相対位置関係を前後方向に定めた例である。また、図１２（ｃ）に示す取付具７は、前述した第６実施形態のように、各ブラケット６を保持可能とするスナップ部７１ａ，７１ｂが構成されているが、各ブラケット６の相対位置関係を左右方向に定めた例である。同じく、取付具７を、前述した第７実施形態のように、一方のブラケット６を保持可能とするスナップ部７１ａと、他方のブラケット６を位置決めする位置決め凹部７１ｃが構成し、各ブラケット６の相対位置関係を前後方向に定めた形態とすることもできる。
【００９０】
このように、１台又は複数台の遮蔽装置の各ブラケット６の取り付け位置関係を予め指定したい用途に適した取付具７を構成することができる。
【００９１】
また、ブラケットと取付フレーム２の端部の位置関係を決めることが可能な例として、図１３（ａ）は、例えばブラケット６の取付不可領域Ｓを避けてブラケット６を配置するべく、取付フレーム２（或いはヘッドボックス）の端部からの距離に相当する左右方向距離ｓを指定するよう、取付フレーム２（或いはヘッドボックス）の端部に当接させる当接面を有する当接片７１ｄを設けた例である。また、図１３ （ｂ）は、例えばブラケット６の取付不可領域Ｓを避けて複数のブラケット６を配置するべく、取付フレーム２の端部からの距離に相当する左右方向距離ｓを指定するよう、取付フレーム２の端部に当接させる当接面を有する当接片７１ｄを複数個所に設けるとともに、ブラケット６の左右方向への位置決めを一定範囲ｐで自由度を持たせつつ規制しながら案内するよう、ブラケット６の一側端部を当接させる当接面を長尺に有する位置決め凹部７１ｃが形成されている。ブラケット６の取付不可領域Ｓとしては上述のような取付フレーム２の端部以外にも巻き取りドラムやチルトドラムの支持部にも存在するケースがある。そのような支持部に対して当接面を有する当接片７ｄを設けブラケット６の位置決めを行っても良い。
【００９２】
このように、１台又は複数台の遮蔽装置の各ブラケットの取り付け位置関係を遮蔽装置の位置関係とともに予め指定したい用途に適した取付具７を構成することができる。
【００９３】
以上、特定の実施形態の例を挙げて本発明を説明したが、本発明は前述の実施形態の例に限定されるものではなく、その技術思想を逸脱しない範囲で種々変形可能である。例えば、本発明に係る取付具７は、ロールスクリーンに限らず、ローマンシェード、木製ブラインド、プリーツスクリーン等の遮蔽装置への適用も可能である。
【産業上の利用可能性】
【００９４】
本発明によれば、取付面に対して１つ又は複数の遮蔽装置における複数のブラケットを容易に施工することができるので、遮蔽装置を窓枠等の取付面に固定する用途に有用である。
【符号の説明】
【００９５】
１，１Ｌ，１Ｒ  遮蔽装置（ロールスクリーン）
２  取付フレーム
２ｃ  支持部材保持部
３  巻取軸
４  遮蔽材（スクリーン）
５  ウェイトバー
６  ブラケット
６ａ  第１ブラケット部材
６ｂ  第２ブラケット部材
７  取付具
７ａ  第１のネジ取付部
７ｂ  第２のネジ取付部
７ｃ  挿通孔
７ｄ  固定部位
７ｅ  取付部位
７ｆ  リブ
８  固定ネジ
９  スペーサー
１０  固定板
１１  取付ネジ
１２  高さ調整用スペーサー
６２  挿通孔
７１ａ，７１ｂ  スナップ部
７１ｃ  位置決め凹部
７１ｄ  当接片
【図１】
0006475494.tif 000002
【図２】
0006475494.tif 000003
【図３】
0006475494.tif 000004
【図４】
0006475494.tif 000005
【図５】
0006475494.tif 000006
【図６】
0006475494.tif 000007
【図７】
0006475494.tif 000008
【図８】
0006475494.tif 000009
【図９】
0006475494.tif 000010
【図１０】
0006475494.tif 000011
【図１１】
0006475494.tif 000012
【図１２】
0006475494.tif 000013
【図１３】
0006475494.tif 000014